(57)【要約】【課題】設置・保守の容易性を合わせ持った，アンテナ装置の避雷構造を提供する。【解決手段】電波を放射する棒状の放射器７０と，当該放射器７０に略平行に設けられ，電波を反射および吸収する複数本の導電性材料で形成された反射器７２と，アンテナ全体を覆って外部から保護する非導電性材料で形成された保護カバー７３とからなるアンテナ装置２のアンテナ部３において，前記反射器７２のうち少なくとも一本が，前記アンテナ部３における反射器と，前記アンテナ装置２の避雷素子とを兼用するように構成する。【選択図】　図１
2004023618.tif 000002
【特許請求の範囲】
【請求項１】
棒状のアンテナ素子と，当該アンテナ素子に対して略平行に長尺状の反射器を備えたアンテナにおいて，
前記反射器は，前記アンテナにおける反射器と避雷素子とを兼用する避雷装置を構成すると共に，
当該避雷装置の先端部は，前記アンテナ素子より高い位置に配置されるよう形成されたことを特徴としたアンテナの避雷構造。
【請求項２】
棒状のアンテナ素子と，当該アンテナ素子に対して略平行に長尺状の反射器を備えたアンテナにおいて，
前記反射器は複数本備えられ，当該反射器の内少なくとも一本が，前記アンテナにおける反射器と避雷素子とを兼用する避雷装置を構成すると共に，
当該避雷装置の先端部は，前記アンテナ素子より高い位置に配置されるよう形成されたことを特徴としたアンテナの避雷構造。
【請求項３】
請求項１乃至請求項２のそれぞれに記載の避雷装置において，当該避雷装置の先端から下方を見たときに，当該避雷装置の軸線となす角度が６０°となる上記避雷装置の周方向の範囲内に，上記アンテナ素子を配置したことを特徴としたアンテナの避雷装置。
【請求項４】
請求項１乃至請求項３のそれぞれに記載の避雷構造を有したアンテナは，
他から送信されてきた送信電波を受信アンテナで受信し，当該受信信号を前記送信電波が届かない地域に再送信するシステムにおいて，前記受信アンテナからの受信信号を処理して送信する無線通信装置用であることを特徴としたアンテナ装置。
【発明の詳細な説明】
【０００１】
【発明の属する技術分野】
本発明は，主に高層建築物や山間部等に設置されるアンテナに関し，詳しくはそのアンテナの避雷構造と，当該避雷構造を備えたアンテナ装置に関する。
【０００２】
【従来の技術】
従来より，ラジオやテレビの放送を行う地上局若しくは人工衛星から送信されてくる放送電波を直接受信することのできない地域（高層ビルが建ち並ぶ都心部や山間部等）では，その地域内に放送電波を再送信するための送信アンテナを設置し，放送電波を受信可能な場所に設置された受信アンテナからの受信信号をこの送信アンテナまで伝送することにより，放送電波を送信アンテナから再送信するシステムが知られている。
【０００３】
この種の無線通信装置１においては，図１０に例示するように，高層建築物の屋上や山間部の見晴らしの良い頂等に，柱状のポールや搭状の構造物等からなる設置用部材５に，アンテナ方向調整用の取付部材１１１，１１２を介して，アンテナ１０２を設置し，このアンテナ１０２と通信機１０３とを通信信号伝送用のケーブル１０４を介して接続するようにされている。この時，通信機４はアンテナ１０２の設置場所から離れた室内に設置される場合もあるが，ケーブル６による伝送損失を押えたい場合は，通信機１０３を設置用部材に取り付け，ケーブルが短くなるように配慮していた。
そして，これらのアンテナ１０２並びに通信機１０３の場所は，高層建築物の屋上や山間部の見晴らしの良い頂等にあるため，当該アンテナ１０２並びに通信機１０３を雷の被害から防護するために，避雷針等の避雷装置５０を前記アンテナ１０２とは個別に建築物６４等に設置し，導線５６でアースに接続していた。
【０００４】
【発明が解決しようとする課題】
しかしながら，前記アンテナ装置を雷の被害から防護するためには，避雷針等の避雷装置を前記アンテナ装置の近傍に別個に設置する必要がり，この場合，前記避雷装置を設置する場所や高さが制限され，新たに，より高所での取り付け作業が必要となり，この点において設置の容易性が問題であった。また，避雷針等の設置部材もアンテナ以外に必用となり，設置工事の長期化，コストアップとなるといった問題もあった。
本発明は，こうした問題に鑑みてなされたものであり，
その目的は，アンテナ装置に避雷装置が一体に備えられたアンテナ装置の避雷構造を提供することにある。
他の目的は，アンテナ装置の構成要素と避雷装置を共通化したアンテナ装置に避雷構造を提供することにある。
他の目的は，他のアンテナ装置から送信されてきた送信信号を受信アンテナで受信し，当該受信信号を当該受信信号が届かない地域に再送信するシステムにおいて，前記受信アンテナからの受信信号を処理して送信アンテナから送信するのに使用されるアンテナ装置を提供することにある。
【０００５】
【課題を解決するための手段】
上記課題を解決するために，請求項１の発明は，棒状のアンテナ素子と，当該アンテナ素子に対して略平行に長尺状の反射器を備えたアンテナにおいて，
前記反射器は，前記アンテナにおける反射器と避雷素子とを兼用する避雷装置を構成すると共に，
当該避雷装置の先端部は，前記アンテナ素子より高い位置に配置されるよう構成される。
【０００６】
請求項２の発明は，棒状のアンテナ素子と，当該アンテナ素子に対して略平行に長尺状の反射器を備えたアンテナにおいて，
前記反射器は複数本備えられ，当該反射器の内少なくとも一本が，前記アンテナにおける反射器と避雷素子とを兼用する避雷装置を構成すると共に，
当該避雷装置の先端部は，前記アンテナ素子より高い位置に配置されるよう構成される。
【０００７】
請求項３の発明は，請求項１乃至請求項２のそれぞれに記載の避雷装置において，当該避雷装置の先端から下方を見たときに，当該避雷装置の軸線となす角度が６０°となる上記避雷装置の周方向の範囲内に，上記アンテナ素子を配置するよう構成される。
【０００８】
請求項４の発明は，請求項１乃至請求項３のそれぞれに記載の前記避雷構造を有したアンテナは，他から送信されてきた送信電波を受信アンテナで受信し，当該受信信号を前記送信電波が届かない地域に再送信するシステムにおいて，前記受信アンテナからの受信信号を処理して送信する無線通信装置用であるよう構成される。
【０００９】
【発明の実施の形態】
以下，本願アンテナ装置の実施例として，無線通信装置の送信用のアンテナにおける実施例について図面を基に説明する。図１に示される無線通信装置１はアンテナ部３と通信機４とから成るアンテナ装置２と，設置用部材５と，アンテナ装置２を設置用部材５に取り付ける為の支持装置１３と避雷装置５０から成っている。上記設置用部材５として例示するものにおいて，中空管状の支柱である。
【００１０】
次に，アンテナ装置２の実施例について説明する。このアンテナ装置２はアンテナ部３と通信機４からなる。本願の無線通信装置１を構成するアンテナ装置２は，他の無線通信装置から送信されてきた送信電波（例えば地上局若しくは人工衛星からの）を受信アンテナにて受信し，当該受信信号を伝送線を介して当該送信電波が届かない地域（山間部や高層ビルが建ち並ぶ都心部，或いはトンネル内等）に再送信するシステムにおいて，前記受信アンテナからの受信信号がケーブル６を介して入力端子７より上記通信機４に入力され，当該通信機４において上記受信信号を処理して前記アンテナ装置２から送信するの使用されるもので，本願で例示するものにおいて，ギャップフィラーに用いられているアンテナ装置２である。尚，本願に示すアンテナ部３は実施例であり，上記避雷装置５０を備えたアンテナの種類は上記実施例に限定されるものではない。また，通信機４として例示されているもの実施例であり，例えば前置増幅器のような電子機器であってもよいし，無くても（アンテナ部３だけの構成でも）良いことは言うまでもない。
【００１１】
次に，アンテナ部３の第１の実施例について図２を用いて詳細に説明する。アンテナ部３は電波を放射する放射器７０と電波を反射および吸収する複数本（本実施例の場合３本。１本は図示されていない。）の反射器７２と，アンテナ全体を覆って外部から保護する非導電性材料で形成された保護カバー７３とからなる。
【００１２】
放射器７０は，本願においては長尺状のコリニアアンテナ７０ａからなり，その一端は下側保持金具７４に連結金具７５を介してネジ７６で固定されると共に，上記連結金具の一端と通信機４とは，連結部８６でもって高周波的に結合するように形成されている。
７１は，前記コリニアアンテナ７０ａを保護する放射器用保護カバーであり，電波を反射および吸収しない非導電性材料（例えば，ＡＥＳ）で形成され，軽量で適度な強度を有し，当該コリニアアンテナ７０ａの特性の安定化と強度を保持するために設けられている。更に，当該放射器用保護カバー７１の先端部は，上側保持金具７８に当接されネジ８５で固着されている。
尚，本願の実施例においては放射器７０をコリニアアンテナ７０ａで形成しているが，このアンテナに限定されるものでなく，例えばスリーブアンテナ等で構成しても良い。
【００１３】
前記放射器７０に略平行に設けられた反射器７２（７２ａ，７２ｂ，７２ｃ。７２ｃは図示されていない。）は長尺状の導電性材料からなり，第１の実施例では，放射器７０と同様に下側の一端が下側保持金具７４にネジ７７で結合されている。また，反射器７２ａ，７２ｃの上側の一端はねじ７７で，反射器７２ｂの中間部は上側保持金具７８に形成された挿通孔７８ａに結合されている。
以上のように構成されたアンテナ部３の要素は，上記下側保持金具７４がネジ８４でもって通信機４と固着されアンテナ装置２が構成される。
【００１４】
反射器７２ａ，７２ｂ，７２ｃは放射器７０を囲む配置に成っている。反射器７２ａ，７２ｂ，７２ｃは電波を反射および吸収するため，反射器７２ａ，７２ｂ，７２ｃに囲まれた側には放射器７０からの電波は放射されなくなり，アンテナ部３は反射器７２ａ，７２ｂ，７２ｃのない方向にのみ放射器７０からの電波を放射する指向性に成っている。
【００１５】
保護カバー７３は，アンテナ部３全体を覆うことができるよう筒状体７３ａと蓋体７３ｂとキャップ７３ｃとから成っている。保護カバー７３は，アンテナ部３からの電波を反射および吸収しない非導電性材料とする必要があり，また軽量で適度な強度を有することが望ましい。このため本願の実施例ではその材料にＡＥＳを採用している。上記筒状体７３ａは，アンテナ部３を構成する各要素を覆うように被せ，上記筒状体７３ａの一方の開口部を上記通信機４の受部４ａに挿着させる。挿着された上記筒状体７３ａは止ビス４ｂで上記受部４ａに固着されると共に，防水対策を兼ねたシリコンシール材若しくはシリコン接着剤７９で更に固定される。
上記筒状体７３ａの他端の開口部には蓋体７３ｂを被せる。蓋体７３ｂにはシリコンゴム等でできたＯリング７３ｄが設けられており防水性を保っている。一方，前記反射器７２ｂの避雷装置５０は，前記蓋体７３ｂの前記反射器７２ｂと相対抗する位置に設けられた挿通部７３ｅに挿通される。前記挿通部７３ｅには，シリコンシール材若しくはシリコン接着剤７９等を充填させた後，キャップ７３ｃを被せ，アンテナ部３の防水性を保つ。尚，上記挿通部７３ｅの構造は一例であり，防水性・耐久性が保てれば，形状やシール材の種類等を適宜変更しても良い。
【００１６】
次に，本願における避雷装置に付いて図２を用いて更に詳細に説明する。
上述のように反射器７２は長尺状の導電性材料で形成されている。そこで本願における避雷装置の特徴は，反射器７２は反射器としての役割だけではなく，上記アンテナ部３の電気的特性への影響なしに避雷装置５０としても利用することにある。
【００１７】
まず，第１の実施例について説明する。反射器７２ｂは図２に示す如く，一端に尖端部が形成され，避雷装置５０を構成している。前記反射器７２ｂは上述のように中間部を上側保持金具７８に結合されているが，この時図２に示すように，他の反射器７２ａ，７２ｃと同様に，上側保持金具７８と電気的にも構造的にも結合するよう形成されている。また，反射器７２ｂのもう一端も他の反射器７２ａ，７２ｃと同様に，上側保持金具７４と電気的にも構造的にも結合するよう形成されている。
更に，上記避雷装置５０の先端から下方を見たときに，当該避雷装置５０の軸線となす角度が６０°となる当該避雷装置５０の周方向の範囲内に，上記放射器７０が配置されるように，上記反射器７２ｂの長さを決めている。
これによって避雷装置５０と前記上側保持金具７８と下側保持金具７４とは，通信装置４のケースと電気的に接続されると共に，ケーブルの外部導体を介して別途設けられたアースに接地されることで，アンテナ部３は雷による被害を防止できるのである。
【００１８】
次に，アンテナ部３の第２の実施例について図３を基に詳細に説明する。この実施例は，アンテナ部３と通信装置４とがケーブル６を介して，離れて接続されている場合や，通信装置４を持たないアンテナ部３だけの構成の場合に有効な方法である。尚，以下の説明では，上記第１の実施形態の実施例と同様の構成要素については同一符号を付与し，詳細な説明は省略する。
【００１９】
アンテナ部３は電波を放射する放射器７０と電波を反射および吸収する複数本（本実施例の場合３本）の反射器７２と，アンテナ全体を覆って外部から保護する非導電性材料で形成された保護カバー７３とからなる。
放射器７０は，本願においては長尺状のコリニアアンテナ７０ａからなり，その一端は下側保持金具７４に連結金具７５を介してネジ７６で固定されると共に，上記連結金具の一端には，ケーブル６を介して高周波信号を伝送するためのコネクター６ａと結合するよう雌ネジが形成された端子を備えている。
７１は前記コリニアアンテナ７０ａを保護する放射器用保護カバーであり，当該コリニアアンテナ７０ａの特性の安定化と強度を保持するために設けられている。材料については第１の実施例と同じであるので省略する。
更に，当該放射器用保護カバー７１の先端部は，上側保持金具７８に当接されネジ８５で固着されている。
【００２０】
前記放射器７０に略平行に設けられた反射器７２（７２ａ，７２ｂ，７２ｃ，７２ｃは図示されていない。）は長尺状の導電性材料からなり，第２の実施例では，反射器７２ａ，７２ｃは放射器７０と同様に下側の一端が下側保持金具７４にネジ７７で結合されているが，反射器７２ｂは下側保持金具７４に備えられた絶縁体８１を介して結合されている。反射器７２ａ，７２ｃの上側の一端も上側保持金具７４にネジ７７で結合されているが，反射器７２ｂのもう一端側は上側保持金具７８の挿通孔７８ａに備えられた絶縁体８０を介して結合されている。以上のように構成されたアンテナ部３の要素は，上記下側保持金具７４がネジ８４でもって支持金具６０と固着されアンテナ装置２が構成される。
【００２１】
保護カバー７３は，アンテナ部３全体を覆うことができるよう筒状体７３ａと蓋体７３ｂとキャップ７３ｃとから成っている。保護カバー７３は，アンテナ部３からの電波を反射および吸収しない非導電性材料とする必要があり，また軽量で適度な強度を有することが望ましい。このため本願の実施例ではその材料にＡＥＳを採用している。上記筒状体７３ａは，アンテナ部３を構成する各要素を覆うように被せ，上記筒状体７３ａの一方の開口部をアンテナ部の支持金具６０の受部４ａに挿着させる。挿着された上記筒状体７３ａは止ビス４ｂで上記受部４ａに固着されると共に，防水対策を兼ねたシリコンシール材若しくはシリコン接着剤７９で更に固定される。
上記筒状体７３ａの他端の開口部には蓋体７３ｂを被せる。蓋体７３ｂにはシリコンゴム等でできたＯリング７３ｄが設けられており防水性を保っている。一方，前記反射器７２ｂの避雷装置５０は，前記蓋体７３ｂの前記反射器７２ｂと相対抗する位置に設けられた挿通部７３ｅに挿通される。前記挿通部７３ｅには，シリコンシール材若しくはシリコン接着剤７９等を充填させた後，キャップ７３ｃを被せ，アンテナ部３の防水性を保つ。
【００２２】
次に，本願の第２の実施例における避雷装置について，図３を用いて更に詳細に説明する。第１の実施例と同様に，反射器７２ｂの一端には尖端部が形成され避雷装置５０を構成している。前記反射器７２ｂは上述のように中間部を上側保持金具７８に結合されているが，この時図３に示すように，他の反射器７２ａ，７２ｃとは異なり，上側保持金具７８とは絶縁体８０を介して結合され，上側保持金具７８と反射器７２ｂとは電気的には絶縁され，構造的にのみ結合するよう形成されている。また，反射器７２ｂのもう一端の近傍も他の反射器７２ａ，７２ｃとは異なり，下側保持金具７４とは絶縁体８１を介することで電気的には絶縁され，構造的にのみ結合するよう形成されている。
更に，上記避雷装置５０の先端から下方を見たときに，当該避雷装置５０の軸線となす角度が６０°となる当該避雷装置５０の周方向の範囲内に，上記放射器７０が配置されるように，上記反射器７２ｂの長さを決めている。
反射器７２ｂのもう一端側には接続部８２が形成されており，当該接続部８２には導線８３が接続され，当該導線８３をアースに接地することで雷による被害を防止している。
このように第２の実施例の避雷装置は，アンテナ部３とは絶縁されているところが特徴であり，上述のようにアンテナ部３と通信装置４とがケーブルを介して，離れて接続されている場合や，通信装置を持たないアンテナ部３だけの構成の場合に有効な方法である。
【００２３】
次に通信機４について図１，図４，図１１に基づいて説明する。通信機４には前記受信信号がケーブル６を介し入力端子７に入力される。入力された信号は適宜処理されて，前記アンテナ部３から送信される。また，前記通信機４の動作電源は，前記ケーブル６を介して電源供給される。
前記通信機４のケース８は略直方体形状をしており，例えばアルミニウム材で形成されている。前記ケース８の１側面８ａであって，側面８ａの下方側には，頭部９ａと軸部９ｂと当接部９ｃとから成る略リベット状の柱状体９が少なくとも１つ突設させてあり，側面８ａの上方側には，前記柱状体９の当接部９ｃと同じ高さで形成された支持柱１０が少なくとも２つ突設させてある。また，前記ケース８の側面８ａと長手方向に接している前記ケースの上面側８ｂと底面側８ｃには，支持装置の止部１８，１９（後で詳細に説明する）と止着ねじ１１ａ，１２ａで止着できるよう止着穴が備えられた止着部１１，１２が形成されている。
【００２４】
次に，支持装置１３について図４，５，６，７を参考に説明する。支持装置１３は断面コ字状で両側板１４ａ，１４ａを有した基体１４と，当該基体１４に設けた枢着点に枢着された固定板１５と，ボルトの締め付け操作で押付け可能に組み付けられた前記設置用部材５に対する押え板１６とから成る。
前記基体１４の底板部１４ｂには，前記アンテナ装置２に形成された前記柱状体９と相対向する位置にダルマ孔１７が設けられている。また，前記底板部１４ｂの上方端と下方端には止部１８，１９が前記基体１４の開口側と反対方向に形成されている。当該上方端の止部１８には前記通信機４のケース８の上面側８ｂに設けられた止着穴と相対向する位置に止着孔１８ａが設けられている。更に前記下方端の止部１９には前記通信機４のケース８の底面側８ｃに設けられた止着穴と相対向する位置に止着孔１９ａが設けられると共に，前記下方端止部の周縁には止辺１９ｂが形成されている。
【００２５】
次に，前記基体１４には，Ｍ状に折り曲げ形成された固定板１５が，前記基体１４の開口側と対向するように組み付けられている。固定板１５における両側板部１５ａ，１５ａの上部には１つ及び下部には２つ，夫々ねじ孔２０が設けられていると共に，基体１４における両側板１４ａ，１４ａの上部及び下部には，前記ねじ孔２０に対応した位置にボルト挿通孔２１，２２，２３が穿設され，前記ボルト挿通孔２１，２３は下部に穿設された２つのボルト挿通孔の内，中央寄りのボルト挿通孔２２を中心点とした円弧状の長溝になっている。
そして固定板１５は，基体１４に対して各ねじ孔を合致させ，ボルトで固定でき，その固定板１５は，ボルトの締め付けを緩めることにより，基体１４に対して前記枢着点を中心点として，相対的に回転させて仰角の調整をすることができる。前記固定板１５の両側板部１５ａ，１５ａの折り曲げ部分には水平面１５ｂ，１５ｂが形成され，その各水平面には上下にねじ孔２４，２４・・が形成されている。
尚，前記ねじ孔２０の他の例として，ねじ孔２０をボルト挿通孔として，前記ボルトとナットの組合せで前記固定板１５と前記基体１４を固定し，ボルトとナットの締め付けを緩めることで仰角調整する方法でも良い。
【００２６】
１６は前記固定板１５と対になって支柱５を挟持する押え板であり，図５，７に示すように，周囲を固定板１５方向に屈曲させて剛性を持たせている。上下の屈曲部１６ａは三角形の頂部を半円状に切り欠いた形状で，その切り欠き面が鋸歯状形成されている。そして基板面１６ｂには前記固定板１５のねじ孔２４，２４・・に対応したボルト挿通孔２８，２８・・が穿設されていて，そのボルト挿通孔２８，２８・・へ挿通したボルト２９を前記ねじ孔２４，２４・・に螺合させることにより，押え板１６を固定板１５に取り付けることができる。そしてボルト２９のねじ込みにより押え板１６を固定板１５に押付けると，押え板の上下屈曲部１６ａにおける両サイドの傾斜面が固定板１５のＶ状面に合致し，固定板１５の水平面１５ｂと押え板１６との間に間隙Ｐが確保される。
【００２７】
間隙Ｐには，ハンガー３０が組み込まれている。ハンガー３０は図７に示すように，係止バー３０ａの両端に支持腕３０ｂが垂下形成され，それら支持腕３０ｂの下端に，ボルト遊挿部であるボルト遊挿孔３１を備えていて，係止バー３０ａは水平方向へ弓状に屈曲し，金属性材料（例えば）にて一体成形されている。
このように形成されたハンガー３０を，固定板１５と押え板１６との間に配置し，ボルト挿通孔３１へボルト２９を遊挿させることにより，ボルトのねじ込みにより押え板を固定板に押付けた場合，支持腕が固定板の水平面と押え板との間に確保される間隙Ｐ内に収まり，僅かに係止バーのみが押え板の屈曲部の上面に沿って露出した状態となる。
【００２８】
次に，支柱５への取り付け例を図４，５，７を基に説明する。
先ず４本のボルト２９を緩め，固定板１５と押え板１６間に支柱５を挿通可能なスペースを確保する。そしてそのスペース内へ支柱５を挿通させるが，支柱５の上端に固定させる場合は，ハンガー３０の係止バー３０ａが支柱５の上端に引っ掛かる位置にして前記アンテナ装置２を係止させる。このようにすれば，手を離してもアンテナ装置２は落下せず，アンテナ装置２の取付作業が容易に可能となる。
【００２９】
支柱５の中途位置に取り付ける場合には，図６に示す如く固定板１５と押え板１６の間に支柱５を挿通可能なスペースを確保すれば，ハンガー３０がボルト２９に沿って移動できるようになるから，ハンガー３０の係止バー３０ａが支柱５の挿通の邪魔にならないように，指を支持腕３０ｂに当てがって押え板１６側にずらせ，支柱５が貫通できるようにすれば，ハンガー３０を利用しない取り付けも可能となる。従って引っ越し，設置場所の移動等により支柱５の上端から途中，或いはその逆に変更するときでもハンガー３０の位置調整で自由に選択できると言った汎用性を備えている。
【００３０】
本願の実施例のハンガー３０は金属性材料（例えば，鉄板に溶融亜鉛メッキを施したもの）で，係止バー３０ａを弓状に湾曲させたものとなっているが，係止バー３０ａはハンガー３０をずらした際に支柱５の邪魔にならなければ湾曲させる必要が無い。また，ハンガー３０の材料は上記実施例に限定されるものではなく，例えば合成樹脂材料で形成されても良い。
次に，こうして取り付けられた支持装置１３は，両手にて慎重に方位の調整が可能であり，その姿勢を維持したままボルト２９を軽く締め付けることで仮止めして次の作業を行うか，方位角が正確に分かるのならばボルト２９を締着し，支柱５へ強固に固定しても良い。
【００３１】
次に，仰角の方向調整について図７及び図８を用いて説明する。先ず，仰角の調整は前記基体１４を遥動させること事からはじめる。この時，基体１４の側面１４ａに設けた第１の角度調整孔２５の内，希望する仰角が表示された前記調整孔の軸線（例示では仰角が−４°としたい場合が示されており，第１の調整孔の２５ｄを選択する）と，前記第２の角度調整孔２６であって，前記第１の角度調整孔と軸線が合致する調整孔（必ず一つしか合致しないよう構成されており，例示では２６ｄである。）とを揃える事で簡単に調整できるよう構成されている。また，この時，前記基体１４の側板１４ａに備えさせた，後述する止部材２７の止金具２７ａを，前記第１の角度調整孔２５と前記第２の角度調整孔２６に挿通させることで仰角が正確に維持できる。
【００３２】
次に，前記止部材２７について説明する。前記基体１４における前記第１の角度調整孔２５の近傍には，図９に示すように止部材２７が備えられている。止部材２７は止金具２７ａと連結手段２７ｂとからなり，前記基体１４に締着具２７ｄを止着ねじ２７ｃで取り付けている。止金具２７ａは軸部の径を前記第１の角度調整孔２５と前記第２の角度調整孔２６の径よりやや小さくなるよう形成されており，上述の如く前記基体１４の角度調整時に，前記第１の角度調整孔２５と前記第２の角度調整孔２６の軸線が合致したところに挿通することで前記アンテナ装置２の仰角を正確に且つ簡単に仮止めできる。また，この止金具２７ａによって，前記アンテナ装置２は正確な仰角を保ったまま前記ボルトを締め付けることができるだけでなく，当該アンテナ装置２を取り付ける前でも支持装置１３だけで仰角の調整ができ，取り付けの効率も良くなる。
【００３３】
次に，アンテナ装置２を前記支持装置１３に取り付ける方法について図４及び図１１に基づいて説明する。
アンテナ装置２を構成する通信機４のケース８の１側面８ａであって，支持装置１３の基体１４の底板部１４ｂに相対向した面側には，前述のように略リベット状の柱状体９が少なくとも１つ突設させてあり，前記柱状体９は頭部９ａと軸部挿通部９ｂと当接部９ｃとから成る。次に，前記基体１４の底板部１４ｂの前記柱状体９と相対向する位置に設けられたダルマ孔１７に前記柱状体９の頭部９ａを挿入し，前記アンテナ装置２を前記底板部１４ｂに沿って下方に押し下げる。この時，前記ダルマ孔１７は，細径の孔の方が底板部１４ｂの長手方向に対して下方になるように形成されているので，前記柱状体９の軸部９ｂが前記ダルマ孔１７の細径の孔に係止されると共に，前記柱状体９の頭部９ａの径は，前記ダルマ孔１７の細径の孔よりやや大きく形成されているので，当該アンテナ装置は基体１４の底板部１４ｂに確実に係止される。また同時に前記ケース１に設けられた底面側止着部１２と，前記底板部１４ｂに設けられた下方端止部１９とが当接するよう構成されていると共に，当該下方端止部１９の周縁には止辺１９ｂが形成されていることから，前記アンテナ装置２は前記支持装置１３に簡単に仮置きできることから，手を離してもアンテナ装置２は落下せず，安全な取付作業が実現できる。
【００３４】
次に，前記下方端止部１９に設けられた止着孔１９ａと前記底面側止着部１２に設けられた止着穴に止着ねじ１２ａを取り付ける。更に，前記上方端止部１８に設けられた止着孔１８ａと前記上面側止着部１１に設けられた止着穴に止着ねじ１１ａを取り付けた後に，前記止着ねじ１１ａ，１２ａを完全に締着し，前記アンテナ装置２は前記当接部９ｃと前記支持柱１０を介して前記支持装置１３の基体１４に強固に固定される。
こうして支持装置１３に取り付けられたアンテナ装置２は，アンテナ装置の方向調整がなされた後，仮止めされていた各部のボルトを締着することで，簡単に，正確に，且つ，安全に支持装置１３もアンテナ装置２も強固に固定することが可能である。また，本願の特徴として，アンテナ装置を支持装置に固定する前に仰角の調整をしておくことで，アンテナ装置を取り付ければ直ちに運用が開始できるし，避雷装置も同時に設置できることから接地工事の短縮化が可能である。
【００３５】
本願の避雷装置に対するアンテナの実施例としては，実施例としてあげた無線通信用装置１に限定されるばかりでなく，他のアンテナに使用しても良い。
また，反射器７２は，その形状が例示したように棒状に限定されるものでもなく，設置数も例示した３本に限定されるものでもなく，適宜形状や本数を変更して実施しても良い事は言うまでもない。
更にまた，アンテナ部３と一体に備えられた通信機４は，受信用のプリアンプのような電子機器を備えても良いことは言うまでも無く，アンテナ部３と通信機４とが離れて接地されるアンテナ装置でも良いし，アンテナ部３だけでもよいことは言うまでもない。
尚，本発明は上記実施の形態に限定されるものではなく，本発明の趣旨を逸脱しない範囲で各部の形状や配置等を適宜に変更して実施することも可能である。
【００３６】
【発明の効果】
以上詳述したように，請求項１の発明によれば，棒状のアンテナ素子と，当該アンテナ素子に対して略平行に長尺状の反射器を備えたアンテナにおいて，
前記反射器は，前記アンテナにおける反射器と避雷素子とを兼用する避雷装置を構成すると共に，
当該避雷装置の先端部は，前記アンテナ素子より高い位置に配置されるように構成したので，余分な部材が必要なく，安価で設置が容易なアンテナの避雷装置を提供できる。
【００３７】
請求項２の発明によれば，棒状のアンテナ素子と，当該アンテナ素子に対して略平行に長尺状の反射器を備えたアンテナにおいて，
前記反射器は複数本備えられ，当該反射器の内少なくとも一本が，前記アンテナにおける反射器と避雷素子とを兼用する避雷装置を構成すると共に，
当該避雷装置の先端部は，前記アンテナ素子より高い位置に配置されるように構成したので，反射器の形状に合わせて最適なアンテナの避雷構造を提供できる。
【００３８】
請求項３の発明によれば，請求項１乃至請求項２のそれぞれに記載の避雷装置において，当該避雷装置の先端から下方を見たときに，当該避雷装置の軸線となす角度が６０°となる上記避雷装置の周方向の範囲内に，上記アンテナ素子を配置するよう構成したので，簡単な構造でアンテナ装置を雷の被害から守ることができるアンテナの避雷装置を提供できる。
【００３９】
請求項４の発明によれば，請求項１乃至請求項３のそれぞれに記載の避雷構造を有したアンテナは，他から送信されてきた送信電波を受信アンテナで受信し，当該受信信号を前記送信電波が届かない地域に再送信するシステムにおいて，前記受信アンテナからの受信信号を処理して送信する無線通信装置用であることを特徴としたアンテナ装置であることから，当該アンテナ装置の設置場所である，高層ビル等の高層建築物での設置作業に対して，アンテナの設置と同時に避雷装置の設置も完了することから，設置の容易性と安全性を合わせ持ったアンテナ装置を提供できる。
【図面の簡単な説明】
【図１】本発明に係るアンテナ装置の実施形態の１例を示す。
【図２】第１実施例におけるアンテナ装置の要部破断図面を示す。
【図３】第２実施例におけるアンテナ装置の要部破断図面を示す。
【図４】支柱の先端に支持装置を取り付けたときの側面図を示す。
【図５】支柱の先端に支持装置を取り付けたときの上面図を示す。
【図６】支柱の途中に支持装置を取り付けたときの側面図を示す。
【図７】支持装置を分解して示す説明図である。
【図８】支持装置の仰角を−４°に設定したときの，第１の角度調整孔と第２の角度調整孔との位置関係を示す概略図である。
【図９】止部材の詳細説明図を示す。
【図１０】従来のアンテナ装置を示す概略図を示す。
【図１１】図２における詳細説明図であり，（ａ）は柱状体の係止部分の一部破断・要部拡大図，（ｂ）は柱状体とダルマ孔が係止する動きを説明する要部拡大図を示す。
【符号の説明】
１…無線通信装置，２…アンテナ装置，３…アンテナ部，４…通信機，４ａ…受部，４ｂ…止ビス，５…設置用部材（例えば支柱），６…ケーブル，６ａ…コネクター，７…入力端子，８…ケース，８ａ…側面，８ｂ…上面側，８ｃ…底面側，９…柱状体，９ａ…頭部，９ｂ…軸部，９ｃ…当接部，１０…支持柱，１１…上面側止着部，１１ａ…止着ねじ，１２…底面側止着部，１２ａ…止着ねじ，１２ｂ…止着穴，１３…支持装置，１４…基体，１４ａ…側板，１４ｂ…底板部，１５…固定板，１５ａ…側板，１５ｂ…水平面，１６…押え板，１６ａ…屈曲部，１６ｂ…基板面，１７…ダルマ孔，１８…上方端止部，１８ａ…止着孔，１９…下方端止部，１９ａ…止着孔，１９ｂ…止片，２０…ねじ孔，２１…ボルト挿通孔（長溝），２２…ボルト挿通孔，２３…ボルト挿通孔（長溝），２４…ねじ孔，２５…第１の角度調整孔（２５ａ，２５ｂ，……２５ｎ），２６…第２の角度調整孔（２６ａ，２６ｂ，……２６ｎ），２７…止部材，２７ａ…止金具，２７ｂ…連結手段，２７ｃ…止着ねじ，２７ｄ…締着具，２８…ボルト挿通孔，２９…ボルト，３０…ハンガー，３０ａ…係止バー，３０ｂ…支持腕，３１…ボルト遊挿孔，５０…避雷装置，５６…導線，６４…設置物（例えば，建築物）７０…放射器，７０ａ…コリニアアンテナ，７１…放射器用保護カバー，７２…反射器（７２ａ，７２ｂ，７２ｃ），７３…保護カバー，７３ａ…筒状体，７３ｂ…蓋体，７３ｃ…キャップ，７３ｄ…Ｏリング，７３ｅ…挿通部，７４…下側保持金具，７５…連結金具，７６…ネジ，７７…ネジ，７８…上側保持金具，７８ａ…挿通孔，７９…接着剤，８０…絶縁体，８１…絶縁体，８２…接続部，８３…導線，８４…ネジ，８５…ネジ，８６…連結部，１０２…アンテナ部，１０３…通信機，１０４…ケーブル，１１１，１１２…アンテナ方向調整用の取付部材，１１３…ボルト，Ｐ…間隙導線
【図１】
2004023618.tif 000003
【図２】
2004023618.tif 000004
【図３】
2004023618.tif 000005
【図４】
2004023618.tif 000006
【図５】
2004023618.tif 000007
【図６】
2004023618.tif 000008
【図７】
2004023618.tif 000009
【図８】
2004023618.tif 000010
【図９】
2004023618.tif 000011
【図１０】
2004023618.tif 000012
【図１１】
2004023618.tif 000013